(57)【特許請求の範囲】
【請求項１】
ディスクカートリッジを、ディスクドライブ装置内部に挿入するためにディスクドライブ装置に設けられた挿入口を塞ぐシャッター構造であって、
前記挿入口の上端と下端に設けられた一対の支軸と、
前記支軸を中心に回動可能な、対向する一対のシャッターリーフと、
前記シャッターリーフを鉛直方向に向くように付勢する付勢手段と、
前記シャッターリーフの、前記ディスクドライブ装置内部への回動角度を規制する規制部材と、により構成され、
前記シャッターリーフが鉛直方向に向くことによって前記挿入口を閉鎖し、前記シャッターリーフが回動することによって前記挿入口を開放し、
前記ディスクカートリッジの挿入時には、前記規制部材によって回動角度が規制された前記一対のシャッターリーフが、前記ディスクカートリッジの挿入方向を規定する案内手段として機能することを特徴とする、ディスクドライブ装置のシャッター構造。
【請求項２】
前記ディスクドライブ装置は前記ディスクカートリッジを収納するカートリッジホルダを有し、前記カートリッジホルダは、上面及び下面を備えており、
前記ディスクカートリッジの挿入時には、前記規制部材によって前記一対のシャッターリーフの先端部が、それぞれ前記カートリッジホルダの上面および下面とほぼ同じ高さとなるように規制されることにより、前記一対のシャッターリーフが前記ディスクカートリッジの挿入方向を規定することを特徴とする、請求項１に記載のディスクドライブ装置のシャッター構造。
【請求項３】
前記規制部材は、前記ディスクカートリッジのフレームから水平に突設された板部材に設けられた突部であることを特徴とする、請求項１または２に記載のディスクドライブ装置のシャッター構造。
【請求項４】
前記規制部材は、弾性部材であることを特徴とする、請求項１、２または３に記載のディスクドライブ装置のシャッター構造。
【請求項５】
前記付勢部材は、トーションばねであることを特徴とする、請求項１または２に記載のディスクドライブ装置のシャッター構造。
【請求項６】
前記一対のシャッターリーフの一方が他方よりも短く設定されていることを特徴とする、請求項１または２に記載のディスクドライブ装置のシャッター構造。
【請求項７】
前記シャッターリーフは、前記ディスクドライブ装置の内部及び外部の両方向に回動可能であることを特徴とする、請求項１または２に記載のディスクドライブ装置のシャッター構造。
【発明の詳細な説明】
【０００１】
【産業上の利用分野】
本発明は、ディスクドライブ装置の、ディスクカートリッジを挿入する挿入口を開閉するためのシャッター構造に関する。
【０００２】
【従来の技術】
従来より、光ディスク、磁気ディスク等を記録媒体として情報の記録・再生を行う装置が知られている。このような情報記録・再生装置においては、前記のようなディスク状の記録媒体は、塵や埃の付着をさけるため、通常ディスクカートリッジに収納されている。情報記録・再生装置はディスクドライブ装置を有しており、情報の記録・再生時にはディスクカートリッジがディスクドライブ装置に挿入される。ディスクドライブ装置は、ディスクカートリッジに収納されたディスクを回転させ、光ピックアップ、磁気ピックアップ等により情報の書込みあるいは読取りを行う。
ディスクドライブ装置は、ディスクカートリッジを装置内部に挿入するための挿入口に、塵や埃の侵入を防ぐためのシャッターを設けている。また、このシャッターの奥には、情報の書込みや読取りを行う位置までディスクカートリッジを搬送するための、カートリッジホルダが設けられている。
従来のシャッターは、挿入口を完全に塞ぐ大きさの１枚のシャッターリーフを有し、このシャッターリーフが挿入口の上端に設けられた支軸に回動可能に支持される構成であった。
【０００３】
【発明が解決しようとする課題】
しかし、従来のシャッター構造では、シャッターリーフをディスクドライブ装置の内側に回動するためのスペースを必要とし、このスペースのため挿入口からカートリッジホルダまでの距離をシャッターリーフの長さ以上にしなければならなかった。そのため、ディスクカートリッジを挿入するときに、ディスクカートリッジを斜めに挿入してしまい、ディスクカートリッジをカートリッジホルダにぶつけてしまう恐れがあった。
【０００４】
本発明は、ディスクカートリッジの挿入が容易な、ディスクドライブ装置のシャッター構造を提供することを目的とする。
【０００５】
【課題を解決するための手段】
上記の目的を達成するため、本発明は、挿入口の上端と下端に設けられた一対の支軸と、支軸を中心に回動可能な、対向する一対のシャッタリーフと、シャッターリーフを鉛直方向に向くように付勢する付勢手段と、シャッターリーフの、ディスクドライブ装置内部への回動角度を規制する規制部材と、により構成され、シャッターリーフが鉛直方向に向くことによって挿入口を閉鎖し、シャッターリーフが回動することによって挿入口を開放し、ディスクカートリッジの挿入時には、規制部材によって回動角度が規制された前記一対のシャッターリーフが、前記ディスクカートリッジの挿入方向を規定する案内手段となることを特徴とする。また本発明は、前記ディスクドライブ装置は前記ディスクカートリッジを収納するカートリッジホルダを有し、前記カートリッジホルダは、上面及び下面を備えており、前記ディスクカートリッジの挿入時には、前記規制部材によって前記一対のシャッターリーフの先端部が、それぞれ前記カートリッジホルダの上面および下面とほぼ同じ高さとなるように規制されることにより、前記一対のシャッターリーフが前記ディスクカートリッジの挿入方向を規定することを特徴とする。また、規制部材を、ディスクカートリッジのフレームから水平に突設された板部材に設けられた突部とする構成、及び規制部材を弾性部材とする構成も可能である。あるいは、付勢部材としてトーションばねを用いる構成も可能である。さらに、一対のシャッターリーフの一方を他方よりも短く設定する構成、シャッターリーフを、ディスクドライブ装置の内部及び外部の両方向に回動可能とする構成も可能である。
【０００６】
【実施例】
以下、実施例に基づいて本発明を説明する。図１は、本発明に係るディスクドライブ装置を示す側断面図である。ディスクドライブ装置１００のシャーシフレーム１１０には、ディスクカートリッジ５０を挿入するための挿入口１１５が設けられ、この挿入口１１５には、対向する１対のシャッターリーフ１２０、１４０が設けられている。また、ディスクドライブ装置１００の正面にはフロントベゼル２００が設けられ、挿入口１１５に対応する箇所には開口２１０が形成されている。ディスクドライブ装置１００の、挿入口１１５の奥には、ディスクカートリッジを５０を搬送するカートリッジホルダ８０が位置している。カートリッジホルダ８０は、ディスクカートリッジ５０を収納し、図示しないローディング機構によって、図中に点線で示すローディング位置１７０まで移動する。このローディング位置１７０で、ディスクカートリッジ５０に収納されたディスクを回転させ、光ピックアップ、磁気ピックアップ等により情報の書込みあるいは読取りを行う。
【０００７】
図２は、本発明に係るシャッター部分を示す斜視図である。図中Ａの方向がディスクドライブ装置１００の内側を示す。図２に示すように、挿入口１１５の上側を閉鎖するためのシャッターリーフ１２０は、挿入口１１５の下側を閉鎖するためのシャッターリーフ１４０よりも長く設定されている。
また、シャッターリーフ１２０、１４０は、端部に嵌挿される支軸１２２、１４２によってそれぞれ回転可能に支持されており、支軸１２２、１４２を支持する滑り軸受けは、シャーシ１１０に設けられた凹部に固定されている。支軸１２２には、トーションばね１２４、１２５が巻き付けられいる。これらトーションばね１２４、１２５の一端はシャーシ１１０の表面に、他端はシャッターリーフ１２０に接着されており、１８０度に開成した時、即ちシャッターリーフ１２０が鉛直下向きにある時に自然状態である。従って、シャッターリーフ１２０が開放した時には、トーションばね１２４、１２５は、常にシャッターリーフ１２０が閉鎖する方向に付勢する。
同様に、支軸１４２には、トーションばね１４４、１４５が巻き付けられており、その一端はシャーシ１１０の表面に、他端はシャッターリーフ１４０に接着されている。これらトーションばね１４４、１４５は、１８０度に開成した時、即ちシャッターリーフ１４０が直立している時に自然状態である。従って、トーションばね１４４、１４５は、シャッターリーフ１４０を閉じた状態に維持すると共に、シャッターリーフ１４０が開成した時には、常にシャッターリーフ１４０を閉じる方向に付勢する。
【０００８】
以上の構成により、シャッターリーフ１２０、１４０は、挿入口１１５に対して回動可能に支持され、ディスクカートリッジ５０を挿入する時には、ディスクカートリッジ５０に押されてディスクドライブ装置１００の内部に開成する。下側のシャッターリーフ１４０は上側のシャッターリーフ１２０よりも短く設定されているため、ディスクカートリッジ５０はシャッターリーフ１４０の先端を先に通過するため、下側のシャッターリーフ１４０が先に閉鎖位置に戻る。続いて、ディスクカートリッジ５０がシャッターリーフ１２０の先端を通過するに伴い、上側のシャッターリーフ１２０が閉鎖位置に戻る。
【０００９】
次に、シャッターストッパー１３０、１３１、及び１５０、１５１について説明する。図２に示すように、シャーシフレーム１１０の内側の、挿入口１１５の上部には、１対のプレート１３２、１３３が水平に突設されている。同様に、挿入口１１５の下部には、１対のプレート１５２、１５３が水平に突設されている。このプレート１３２、１３３の先端には、弾性部材でできたシャッターストッパー１３０、１３１が下向きに形成され、プレート１５２、１５３の先端には、同じく弾性部材でできたシャッターストッパー１５０、１５１が上向きに形成されている。
【００１０】
図３はシャッター部分を示す側断面図である。図３に示すように、シャッターリーフ１２０が開成し、シャッターストッパー１３０、１３１に当接した時に、シャッターリーフ１２０の先端とカートリッジホルダ８０の上面８２とは略同一の高さになるよう設定されている。
同様に、シャッターリーフ１４０が開成し、シャッターストッパー１５０、１５１に当接した時に、シャッターリーフ１４０の先端とカートリッジホルダ８０の下面８４とは略同一の高さになるよう設定されている。
【００１１】
ディスクカートリッジ５０の挿入時のシャッター部の動作は次のようになる。挿入されるディスクカートリッジ５０の先端が当接することによって、シャッターリーフ１２０は上方に開成し、シャッターストッパー１３０、１３１に当接するまで回動する。同様にシャッターリーフ１４０は下方に開成し、シャッターストッパー１５０、１５１に当接するまで回動する。この時、シャッターリーフ１２０の先端は、カートリッジホルダ８０の上面８２とほぼ同じ高さにあり、シャッターリーフ１４０の先端は、カートリッジホルダ８０の下面８４とほぼ同じ高さにあるため、シャッターリーフ１２０、１４０は、ディスクカートリッジ５０を挿入するためのガイドとなる。
従って、ディスクカートリッジ５０を水平より斜めに挿入した場合でも、シャッターリーフ１２０、シャッターリーフ１４０に上下をガイドされるため、ディスクカートリッジ５０をカートリッジホルダ８０にぶつけることなく、カートリッジホルダ８０に挿入することができる。
【００１２】
挿入口１１５から挿入されたディスクカートリッジ５０が、カートリッジホルダ８０内の所定の位置まで達すると、図示しないローディング機構によってディスクカートリッジ５０は、カートリッジホルダ８０と共にローディング位置まで移動する。そして、ディスクカートリッジ５０の後端はまずシャッターリーフ１４０の先端を通過し、次にシャッターリーフ１２０の先端を通過する。従って、まず、下側のシャッターリーフ１４０が閉鎖位置に戻り、続いて上側のシャッターリーフ１２０が閉鎖位置に戻って挿入口１１５を閉鎖する。
そして、この状態で、ディスクカートリッジ５０に収納された記録媒体への情報の読取りや書込みが行われる。
【００１３】
排出時には、ディスクカートリッジ５０は、図示しない排出機構により、カートリッジホルダ８０から排出される。シャッター１２０、１４０は、ディスクカートリッジ５０に押されてフロントベゼル２００の外側に向かって開く。ディスクカートリッジ５０が、フロントベゼル２００よりも所定量だけ突出したところで、排出機構は停止し、ユーザーがディスクカートリッジ５０を引き抜く。ディスクカートリッジ５０の挿入時と同様、ディスクカートリッジ５０がシャッターリーフ１２０、１４０を通過するに伴い、シャッターリーフ１４０が先に、続いてシャッターリーフ１２０が回動し、挿入口１１５を閉鎖する。
【００１４】
【発明の効果】
以上、説明したように、本発明に係るシャッター構造は、１対のシャッターリーフが開成した時の回動角度を、シャッターストッパーによって規制することによって、ディスクカートリッジをカートリッジホルダに挿入するときのガイドとなるため、ディスクカートリッジをカートリッジホルダにぶつけることなく、簡単に挿入することができる。
また、シャッターリーフが１枚の場合に比べ、シャッターとカートリッジホルダ８０の距離を小さく設定できるため、その分だけ、ディスクドライブ装置を小型化することができる。
さらに、上側のシャッターリーフよりも下側のシャッターリーフを短く設定することにより、ディスクカートリッジの挿入・搬出に伴い、下側のシャッターリーフを先に閉鎖することができ、ディスクカートリッジの挿入・搬出に伴う埃や塵の侵入を防ぐ効果を向上させる。
【図面の簡単な説明】
【図１】本発明に係るディスクドライブ装置を示す側断面図である。
【図２】本発明の実施例のシャッター構造を示す斜視図である。
【図３】本発明の実施例のシャッター構造を示す側断面図である。
【符号の説明】
５０              ディスクカートリッジ
８０              カートリッジホルダ
１００            ディスクドライブ
１１０            シャーシフレーム
１１５            挿入口
１２０、１４０    シャッターリーフ
１２２、１４２    支軸
１２４、１２５    トーションばね
１４４、１４５    トーションばね
１３０、１３１    シャッターストッパー
１５０、１５１    シャッターストッパー
２００            フロントベゼル
【図１】
0003637092.tif 000002
【図２】
0003637092.tif 000003
【図３】
0003637092.tif 000004